(57)【要約】【課題】有機ＥＬ素子の基板と大気との間に光拡散層等を設けることで本来基板内を導波する光を外部に取り出して光取り出し効率を向上するにあたり、発光源と光反射性の電極の表面との間の寸法を広い範囲のなかで設定することで、外部に出射する光の成分の量を向上することができる有機エレクトロルミネッセンス素子の設計方法を提供する。【解決手段】有機発光層５の厚みを異ならせた複数の有機エレクトロルミネッセンス素子を作製する。各有機エレクトロルミネッセンス素子について、基板６の表面に有機発光層５から基板６内部に到達した光の略全部を取り出すための光取出し手段１２を設けて、この光取出し手段１２から出射する光の成分の量を計測する。これに前記出射する光の成分の量と、有機発光層５の厚みとの関係を導出し、この関係に基づいて、基板６に反射・屈折角を乱れさせる領域７を設ける場合の有機発光層５の厚みを設計することを特徴とする。【選択図】図１
2009054384.tif 000002
【特許請求の範囲】
【請求項１】
光透過性の電極と光反射性の電極との間に有機発光層を設けると共に前記光透過性の電極の有機発光層とは反対側の表面に光透過性の基板を備えて構成される有機エレクトロルミネッセンス素子の設計方法であって、有機発光層の厚みを異ならせた複数の有機エレクトロルミネッセンス素子を作製し、各有機エレクトロルミネッセンス素子について、基板の表面に有機発光層から基板内部に到達した光の略全部を取り出すための光取出し手段を設けて、この光取出し手段から出射する光の成分の量を計測することで、前記出射する光の成分の量と、有機発光層の厚みとの関係を導出し、この関係に基づいて、基板に反射・屈折角を乱れさせる領域を設ける場合の有機発光層の厚みを設計することを特徴とする有機エレクトロルミネッセンス素子の設計方法。
【請求項２】
光透過性の電極と光反射性の電極との間に有機発光層を設けると共に前記光透過性の電極の有機発光層とは反対側の表面に光透過性の基板を備えて構成される有機エレクトロルミネッセンス素子の設計方法であって、有機発光層の厚みを異ならせた複数の有機エレクトロルミネッセンス素子を作製し、各有機エレクトロルミネッセンス素子について、基板の表面に有機発光層から基板内部に到達する光の略全部を取り出すための光取出し手段を設けて、この光取出し手段から出射する光の成分の量と、前記光取出し手段を設けない場合に基板から出射する光の成分の量とを計測することで、光取出し手段を設ける場合と設けない場合との出射する光の成分の量の差と、有機発光層の厚みとの関係を導出し、この関係に基づいて、基板に反射・屈折角を乱れさせる領域を設ける場合の有機発光層の厚みを設計することを特徴とする有機エレクトロルミネッセンス素子の設計方法。
【発明の詳細な説明】
【技術分野】
【０００１】
本発明は、反射・屈折角を乱れさせる領域を設けて光取り出し効率を向上する場合に、有機エレクトロルミネッセンス素子から出射される光の成分の量が所望の程度になるように有機エレクトロルミネッセンス素子の有機発光層の厚みを設計する有機エレクトロルミネッセンス素子の設計方法に関する。
【背景技術】
【０００２】
図２は基板６上に光透過性の電極１、ホール輸送層８、発光層３、電子輸送層９、光反射性の電極２が順次形成された有機エレクトロルミネッセンス素子である。この図２により従来の有機エレクトロルミネッセンス素子の設計方法を説明する。
【０００３】
特許文献１では、光反射性の電極２と、これに隣接する有機層４（ここでは電子輸送層９）の界面で光が反射する際には、外面反射であるので反射前後で位相シフトπが生じることを前提とし、発光層３から基板６側へ向かう光２１と、発光層３から光反射性の電極２へ向かった後にこの電極２の表面で反射されてから基板６側に向かう光２２とが干渉して強め合うようにするために、発光層３における発光源１０と光反射性の電極２の表面との間の膜厚ｄに屈折率を乗じて導出される光学膜厚Ｄを光の波長λの１／４の奇数倍と略等しくなるようにし、これにより基板６から正面方向に外部に出射する光の成分の量が極大値となるようにすることができることが開示されている。
【０００４】
しかし、特許文献２で説明されているように、光反射性の電極２の表面で生じる位相シフトはπではなく、有機層４（電子輸送層９）の屈折率ｎ1と消衰係数ｋ1、並びに光反射性の電極２の屈折率ｎ2と消衰係数ｋ2に基づき、次の式（１）で表される位相シフトφである。
【０００５】
【数１】
2009054384.tif 000003
【０００６】
特許文献２ではこの位相シフトφを考慮して、基板６から外部へ出射する光の成分の量が極大値となるようにするために、発光源１０から電極２の表面までの光学膜厚Ｄが次の式（２）〜（４）を満たすようにすることが記載されている。
【０００７】
２π／９≦φ≦１５π／１８  …（２）
Ｆ＝φ×λ／４π  …（３）
０．７３Ｆ≦Ｄ≦１．１５Ｆ  …（４）
ここで、図２において有機エレクトロルミネッセンス素子の発光層３の発光源１０から斜めに発光した光２３の伝搬について説明する。尚、実際には発光源１０から光反射性の電極２へ向かう光も存在するが、ここでは省略している。屈折率の高い媒質から屈折率の低い媒質へ光が伝搬するとき、その界面では媒質間の屈折率により、スネルの法則から臨界角が決定され、その臨界角以上の光は界面で全反射して、屈折率の高い媒質に閉じ込められ、導波光として失われる。例えば、図２の有機エレクトロルミネッセンス素子で、基板６の屈折率が１．５である場合に、基板６から屈折率１．０の大気１１へと出射する光の臨界角は約４２°である。つまり、発光源１０からの発光した光２３が基板６から大気１１へ出射するとき、大気１１への入射角θが約４２°より大きい光は基板６に閉じ込められ、導波光として失われる。立体角を考慮すると、基板６まで伝搬してきた光のうち、基板６から大気１１へ出射する光の割合は約２６％となり、残りの約７４％は基板６に閉じ込められ、導波光として失われる。
【０００８】
この導波光を外部へ取り出すための手法として、例えば図３の有機エレクトロルミネッセンス素子のように基板６と大気１１の間に反射・屈折角を乱れさせる領域７を形成することが挙げられる。この場合、スネルの法則を崩して、本来導波光として全反射される約４２°以上の光の伝搬角を変化させることができ、これにより光の屈折角を変化させて全反射条件にある光を減らすことができる。このような手法としては、例えば透光性基体上に単粒子層を並べた拡散部材による光拡散層を形成する方法（特許文献３）が挙げられる。
【０００９】
このような光拡散層を形成する場合に、基板６の中で導波する光を効率良く取り出すための設計方法が特許文献４で提案されている。これは基板６から大気１１へ出射される発光光の正面輝度値と５０〜７０°方向の輝度値が次の式（５）の関係を満たすようにし、或いは更に発光源１０と光反射性の電極２の表面との間の寸法をｄ、発光層３に用いている発光材料の蛍光発光スペクトルのピーク波長をλ、発光層３と光反射性の電極２との間の有機層４の屈折率をｎとした場合に次の式（６）の関係を満たすようにするものである。
【００１０】
（正面輝度値）＜（５０〜７０°方向の輝度値）  …（５）
（３／ｎ）λ＜ｄ＜（０．５／ｎ）λ  …（６）
この設計方法によれば、正面方向の光は干渉により弱め合うが、通常は導波光として素子内に閉じ込められる広角度成分の光が強めあい、この光を光拡散層を設けることで外部に出射することで全体的な光の取り出し効率を向上しようというものである。
【特許文献１】特開２０００−２４３５７３号公報
【特許文献２】特開２００４−１６５１５４号公報
【特許文献３】特開２００１−３５６２０７号公報
【特許文献４】特開２００４−２９６４２３号公報
【発明の開示】
【発明が解決しようとする課題】
【００１１】
しかし、上記特許文献１に記載の方法では、光反射性の電極２での反射の際の位相シフトが正確に考慮されておらず、この方法に従って発光源１０から光反射性の電極２の表面までの寸法を設計しても、基板６から正面方向に外部へ出射する光の成分の量を極大値とすることができない。
【００１２】
また、特許文献２に記載の方法では、上記位相シフトを正確に考慮していることから、基板６から外部へ正面方向に出射する光の成分の量が極大値となるように設計することができるが、基板６を導波して失われる約７０％の光の成分は考慮されておらず、このため光拡散層を設けて本来失われる光を取り出すようにした場合には、光取出し効率が必ずしも最も高くなるとはいえない。
【００１３】
また、特許文献４に記載の方法では、光拡散層を設けることで基板６を導波して失われる光を取り出す際に、光取り出し効率を向上することができるが、干渉効果によって変化する光の成分の量の一つの極大値のみを導出するものであって、発光源１０と光反射性の電極２の表面との間の寸法を前記極大値とすることができない場合、例えば発光層３を複数層設ける場合のように発光源１０と光反射性の電極２の表面との間の寸法が前記極大値を取り得る寸法を超えざるを得ないような場合には対応することができないものであった。
【００１４】
本発明は上記の点に鑑みて為されたものであり、有機エレクトロルミネッセンス素子の基板と大気との間に光拡散層等を設けることで本来基板を導波する光を外部に取り出して光取り出し効率を向上するにあたり、発光源と光反射性の電極の表面との間の寸法を広い範囲のなかで設定することで、外部に出射する光の成分の量を向上することができる有機エレクトロルミネッセンス素子の設計方法を提供することを目的とするものである。
【課題を解決するための手段】
【００１５】
請求項１に係る本発明に係る有機エレクトロルミネッセンス素子の設計方法は、光透過性の電極１と光反射性の電極２との間に有機発光層５を設けると共に前記光透過性の電極１の有機発光層５とは反対側の表面に光透過性の基板６を設けて構成される有機エレクトロルミネッセンス素子の設計方法であって、有機発光層５の厚みを異ならせた複数の有機エレクトロルミネッセンス素子を作製し、各有機エレクトロルミネッセンス素子について、基板６の表面に有機発光層５から基板６内部に到達した光の略全部を取り出すための光取出し手段１２を設けて、この光取出し手段１２から出射する光の成分の量を計測することで、前記出射する光の成分の量と、有機発光層５の厚みとの関係を導出し、この関係に基づいて、基板６に反射・屈折角を乱れさせる領域７を設ける場合の有機発光層５の厚みを設計することを特徴とする。
【００１６】
請求項２に係る有機エレクトロルミネッセンス素子の設計方法は、光透過性の電極１と光反射性の電極２との間に有機発光層５を設けると共に前記光透過性の電極１の有機発光層５とは反対側の表面に光透過性の基板６を設けて構成される有機エレクトロルミネッセンス素子の設計方法であって、有機発光層５の厚みを異ならせた複数の有機エレクトロルミネッセンス素子を作製し、各有機エレクトロルミネッセンス素子について、基板６の表面に有機発光層５から基板６内部に到達する光の略全部を取り出すための光取出し手段１２を設けて、この光取出し手段１２から出射する光の成分の量と、前記光取出し手段１２を設けない場合に基板６から出射する光の成分の量とを計測することで、光取出し手段１２を設ける場合と設けない場合との出射する光の成分の量の差と、有機発光層５の厚みとの関係を導出し、この関係に基づいて、基板６に反射・屈折角を乱れさせる領域７を設ける場合の有機発光層５の厚みを設計することを特徴とする。
【発明の効果】
【００１７】
請求項１に係る発明によれば、基板６に光取出し手段１２を設ける場合には有機発光層５から基板６内に到達した光の殆どが光取出し手段１２から出射されるため、この光取出し手段１２から出射される光の成分の量は、有機エレクトロルミネッセンス素子の基板６の表面を大気１１に直接曝して有機発光層５を発光させた場合に基板６から出射される光の成分の量と、このとき基板６から出射せずに基板６内を導波する光の成分の量とを併せたものにほぼ一致し、このような光取出し手段１２から出射する光の成分の量と、有機発光層５の厚みとの関係から有機発光層５の厚みを決定することで、有機エレクトロルミネッセンス素子の基板６に反射・屈折角を乱れさせる領域７を設けた場合の出射光の光の成分の量が所望の程度になるようにすることができるものであり、またこのとき有機発光層５の広い厚み範囲に亘って前記関係を導出しておけば、広い厚み範囲に亘って有機発光層５の厚みを設計することができるものである。
【００１８】
請求項２に係る発明によれば、光取出し手段１２を設けた場合にこの光取出し手段１２から出射される光の成分の量は、有機エレクトロルミネッセンス素子の基板６の表面を大気１１に直接曝して有機発光層５を発光させた場合に基板６から出射される光の成分の量と、基板６から出射せずに基板６内を導波する光の成分の量とを併せたものにほぼ一致し、この光の成分の量から光取出し手段１２を設けない場合に出射する光の成分の量を差し引いたものは、基板６内に到達する光のうちの大きな割合を占めている本来基板６内を導波する光の成分の量にほぼ一致するものであり、この光の成分の量は、基板６に反射・屈折角を乱れさせる領域７を設ける場合に出射する光の成分の量を反映することとなるため、このような光取出し手段１２を設ける場合と設けない場合との出射する光の成分の量の差と、有機発光層５の厚みとの関係から有機発光層５の厚みを決定することで、有機エレクトロルミネッセンス素子の基板６に反射・屈折角を乱れさせる領域７を設けた場合の出射光の光の成分の量が所望の程度になるようにすることができるものであり、またこのとき有機発光層５の広い厚み範囲に亘って前記関係を導出しておけば、広い厚み範囲に亘って有機発光層５の厚みを設計することができるものである。
【発明を実施するための最良の形態】
【００１９】
以下、本発明の実施をするための最良の形態について説明する。
【００２０】
図２に有機エレクトロルミネッセンス素子の構成の一例を示す。
【００２１】
この有機エレクトロルミネッセンス素子は、透明な基板６の一面側に、光透過性の電極１、有機発光層５、光反射性の電極２が、この順に順次積層成形されている。前記有機発光層５は、発光材料を含む発光層３に必要に応じて電子注入層、電子輸送層９、正孔注入層、ホール輸送層８等、適宜の有機層４を積層して構成される。図示の例では、光反射性の電極２と発光層３との間に電子輸送層９を介在させ、光透過性の電極１と発光層３との間にホール輸送層８を介在させている。
【００２２】
有機エレクトロルミネッセンス素子を構成する各層の材質は、有機エレクトロルミネッセンス素子に適用されている適宜のものを採用することができ、特に制限されない。
【００２３】
有機エレクトロルミネッセンス素子の設計にあたっては、まず有機発光層５の厚みが異なる複数の有機エレクトロルミネッセンス素子を作製する。
【００２４】
ここで、有機エレクトロルミネッセンス素子から出射される光の成分の量には、発光層３内の発光源１０から基板６側に向けて出射される光と、この発光源１０から光反射性の電極２へ向けて出射された後、この電極表面で基板６側に向けて反射する光による多重干渉が大きく影響を及ぼす。
【００２５】
そこで、有機発光層５の厚みを異ならせるにあたっては、発光層３よりも光反射性の電極２側に設けられている有機層４の厚みを異ならせるなどして、有機発光層５中の発光源１０と光反射性の電極２との間の寸法を異ならせた有機エレクトロルミネッセンス素子を作製することが好ましく、図２に示す例では電子輸送層９の厚みを異ならせた複数のエレクトロルミネッセンス素子を作製することが好ましい。
【００２６】
このように作製された各有機エレクトロルミネッセンス素子について、図１に示すように有機発光層５から基板６内部に到達する光を取り出すための光取出し手段１２を、基板６の表面に設け、この状態で電極１，２間に電圧を印加し、有機発光層５を発光させる。そして、このとき光取出し手段１２から出射する光の成分の量を計測する。
【００２７】
光取出し手段１２としては、有機発光層４から基板６内部に到達した光の略全部を取り出すものを設ける。このとき、好ましくは基板６内部に到達した光の８０％以上を取り出すことが可能なものを設けるものである。
【００２８】
上記光取出し手段１２としては適宜のものを挙げることができるが、例えば基板６の屈折率と同一又は近似する屈折率を有する半球レンズ１２ａを用いることができる。このとき半球レンズ１２ａの屈折率は、基板６の屈折率に対して±０．０５の範囲であることが好ましい。特に好ましくは基板６と同一の材質で形成された半球レンズ１２ａを用いる。この半球レンズ１２ａは一面側が平面に形成され、他面側が球面に形成されている。この半球レンズ１２ａは、一般には球面側から入射した光を集光するレンズとして用いられるものであるが、ここでは平面側を基板６の表面と密接させ、この平面側から入射した光を球面側から出射させる。このような半球レンズ１２ａを設けると、例えば基板６の屈折率が１．５とすると本来はスネルの法則により基板６から大気１１側へ出射する光の臨界角は約４２°となり、入射角θが臨界角よりも小さい光２３は大気１１側に出射されるが、入射角θが臨界角よりも大きい光２３は基板６と大気１１との界面で全反射して基板６内を導波して失われるが、前記半球レンズ１２ａを設けることで本来全反射するはずの光２３も半球レンズ１２ａへ入射される。また半球レンズ１２ａへ入射した光２３は球面側から出射するため、半球レンズ１２ａから大気１１への入射角が低減され、半球レンズ１２ａへ入射した光２３の殆どを球面側から大気１１に出射することができる。
【００２９】
ここで、光取出し手段１２としての半球レンズ１２ａの寸法は、基板６の端面側から出射する入射角の大きい光の成分までも半球レンズ１２ａ内に入射されるように十分な大きさを有することが好ましい。例えば、有機エレクトロルミネッセンス素子の基板６の厚みが０．７ｍｍ、一辺の長さをＬとすると、基板６の端部から半球レンズ１２ａへ入射角８９°の光まで入射させる場合には、半球レンズ１２ａが２×０．７×ｔａｎ８９°＋Ｌ＝８０＋Ｌ（ｍｍ）又はそれよりも大きい直径を有することが好ましい。
【００３０】
このように半球レンズ１２ａを設ける場合には基板６の表面に直接半球レンズ１２ａを配置しても良いが、半球レンズ１２ａと基板６との間に基板６の屈折率と同一又は近似する屈折率を有する適宜のマッチングオイルを介在させても良い。マッチングオイルとしては脂肪族炭化水素系溶剤等を用いることができるが、このときマッチングオイルの屈折率は、基板６の屈折率に対して好ましくは±０．０５の範囲、更に好ましくは±０．０１の範囲となるようにする。この場合、半球レンズ１２ａと基板６との間に空気が介在することを防止して、このような空気が介在することにより半球レンズ１２ａに入射される光が減少することを防止することができる。
【００３１】
半球レンズ１２ａから出射される光の成分の量は、例えば積分球を用いて、輝度計やＰＭＡ等により計測することができる。このとき光の成分の量としては、必要に応じて光のエネルギー（放射束）、光束、光子数等から適宜選択して計測することができる。
【００３２】
また、光取出し手段１２としては上記半球レンズ１２ａのほか、適宜のものを用いることができる。例えば基板６と同一又は近似する屈折率を有するマッチングオイルの浴中に有機エレクトロルミネッセンス素子と光の成分の量を計測する装置（例えば輝度計やＰＭＡ等）を浸すことでこのマッチングオイルを光取出し手段１２として用い、この状態で有機エレクトロルミネッセンス素子を発光させて、その発光を計測しても良い。また、光取出し手段１２として、基板６の表面に半球レンズ１２ａに代えて基板６の屈折率と同一又は近似する屈折率を有するプリズムを配置するようにしても良い。
【００３３】
このように複数の有機エレクトロルミネッセンス素子について、光取出し手段１２から出射する光の成分の量を計測することで、この光取出し手段１２から出射する光の成分の量と、有機発光層５の厚みとの関係を導出することができる。
【００３４】
このようにして得られた、光取出し手段１２から出射する光の成分の量と、有機発光層５の厚みとの関係に基づいて、基板６に光拡散層等のようなスネルの法則を崩して反射・屈折角を乱れさせる領域７を設ける場合の、有機エレクトロルミネッセンス素子の設計をすることができる。光拡散層は、基板６側からこの基板６と光拡散層との界面に到達した光を拡散することにより本来基板６の外面で反射して基板６内を導波する光をも外部に出射させる機能を有するものであり、例えばシリカやアルミナ等の透光性微粒子を透光性を有する結着剤中に分散させた層にて形成することができる。
【００３５】
ここで、光取出し手段１２を設ける場合は有機発光層５から基板６内に到達した光の殆どが光取出し手段１２から出射されるため、この光取出し手段１２から出射される光の成分の量は、有機エレクトロルミネッセンス素子の基板６の表面を大気１１に直接曝して有機発光層５を発光させた場合に基板６から出射される光の成分の量と、このとき基板６から出射せずに基板６内を導波する光の成分の量とを併せたものにほぼ一致する。有機エレクトロルミネッセンス素子の基板６に反射・屈折角を乱れさせる領域７を設ける場合には、前記のような本来基板６内を導波して失われる光をも外部に出射することができる。
【００３６】
このため、光取出し手段１２から出射される光の成分の量の、有機発光層５の厚みに対する依存性に基づいて、この光の成分の量が所望の適宜の値となるように有機発光層５の厚みを決定すれば、有機エレクトロルミネッセンス素子の基板６に反射・屈折角を乱れさせる領域７を設ける場合の出射光の光の成分の量が所望の程度になるように有機エレクトロルミネッセンス素子を設計することができるものである。
【００３７】
また、光取出し手段１２を設ける場合と設けない場合との出射する光の成分の量の差と、有機発光層５の厚みとの関係を導出し、この関係に基づいて、基板６に反射・屈折角を乱れさせる領域７を設ける場合の有機エレクトロルミネッセンス素子の設計をすることもできる。
【００３８】
ここで、光取出し手段１２を設けた場合にこの光取出し手段１２から出射される光の成分の量は上記の通り、有機エレクトロルミネッセンス素子の基板６の表面を大気１１に直接曝して有機発光層５を発光させた場合に基板６から出射される光の成分の量と、基板６から出射せずに基板６内を導波する光の成分の量とを併せたものにほぼ一致する。このため、この光の成分の量から光取出し手段１２を設けない場合に出射する光の成分の量を差し引いたものは、基板６内を導波して失われる光の成分の量にほぼ一致する。この基板６内を導波して失われる光の成分の量は、既述のように基板６内に到達する光の約７４％に達し、基板６から大気１１に出射される光に比べて大きな割合を占める。従って、光取出し手段１２を設ける場合と設けない場合との出射する光の成分の量の差は、光取出し手段１２を設けない場合に出射する光の成分の量よりも、基板６に反射・屈折角を乱れさせる領域７を設ける場合に出射する光の成分の量を反映している。
【００３９】
このため、光取出し手段１２を設ける場合と設けない場合との出射する光の成分の量の差の、有機発光層５の厚みに対する依存性に基づいて、この光の成分の量が所望の適宜の値となるように有機発光層５の厚みを決定すれば、有機エレクトロルミネッセンス素子の基板６に反射・屈折角を乱れさせる領域７を設ける場合の出射光の光の成分の量が所望の程度になるように有機エレクトロルミネッセンス素子を設計することができるものである。
【００４０】
上記のようにして有機発光層５の厚みを設計するにあたり、光取出し手段１２を設ける場合に出射する光の成分の量、或いは光取出し手段１２を設ける場合と設けない場合との出射する光の成分の量の差が、極大値あるいはその近傍の値をとるように有機発光層５の厚みを設計することで、基板６に反射・屈折角を乱れさせる領域７を設けた場合に有機ＥＬ素子から出射される光の成分の量を著しく向上することができる。
【００４１】
ここで、これらの関係を有機発光層５の広い厚み範囲において導出しておけば、上記極大値として第一の極大値だけでなく、第二の極大値或いは第三以降の極大値と、有機発光層５の厚みとの関係も導出される。このため、複数の極大値のうちのいずれかの値又はその近傍の値をとるように、有機発光層５の厚みを設計することで、有機ＥＬ素子から出射される光の成分の量を向上することができる。
【００４２】
また、上記のように極大値又はその近傍をとるようにするだけでなく、この値が適宜の値をとるように有機発光層５の厚みを設計することができ、このとき光取出し手段１２を設ける場合に出射する光の成分の量、或いは光取出し手段１２を設ける場合と設けない場合との出射する光の成分の量の差が、充分に大きくなるように有機発光層５の厚みを設計することで、有機ＥＬ素子から出射される光の成分の量を向上することができる。
【００４３】
また、有機ＥＬ素子の構成によっては有機発光層５の厚みが制限される場合がある。その具体的な例としては、有機ＥＬ素子が複数の発光層３を含むことで、この有機ＥＬ素子の各発光層３から光反射性の電極２までの寸法の範囲が一定の範囲に制限される場合が挙げられる。このような場合であっても、上記のように有機発光層５の厚み設計を広い範囲で行うことができるので、各発光層３ごとに、光反射性の電極２までの寸法の制限範囲内で、光取出し手段１２を設ける場合に出射する光の成分の量、或いは光取出し手段１２を設ける場合と設けない場合との出射する光の成分の量の差が、極大値又はその近傍をとるように、或いはこのような値でなくても前記制限範囲内で最も高い値をとるなどのように充分に大きい値をとるように、有機発光層５の厚みの設計を行うことができる。
【００４４】
ここで、複数の発光層３から発せられる光の成分のうち、全ての発光層３からの発光について、光取出し手段１２を設ける場合に出射する光の成分の量、或いは光取出し手段１２を設ける場合と設けない場合との出射する光の成分の量の差が、極大値をとるように厚み設計をすると、光の取り出し効率を非常に高くすることができるが、少なくとも一つの発光層３からの発光について極大値をとるようにすれば、光の取り出し効率の向上に寄与することができる。また、いずれの発光層３からの発光についても極大値をもとることができない場合でも、上述のように有機エレクトロルミネッセンスから出射される光の成分の量が所望のものとなるように有機発光層５の厚みを設計することができる。
【００４５】
このような有機エレクトロルミネッセンス素子の設計の具体例を示す。
【００４６】
有機エレクトロルミネッセンス素子として、膜厚０．７ｍｍのガラスの基板６上に、ＩＴＯからなる光透過性の電極１、ＮＰＤからなるホール輸送層８、ルブレン（Ｒｕｂｒｅｎｅ）を６重量％ドープしたＡｌｑ３からなる発光層３、下記［化１］のＴｍＰｙＰｈＢからなる電子輸送層９、Ａｌからなる光反射性の電極２を積層したものを作製した。
【００４７】
この有機エレクトロルミネッセンス素子としては、電子輸送層９の厚みを変更した複数のものを作製した。このとき、光透過性の電極１の厚みを膜厚１５０ｎｍ、ホール輸送層８の厚みを４０ｎｍ、発光層３の厚みを３０ｎｍ、光反射性の電極２の厚みを８０ｎｍとし、電子輸送層９の厚みを、電子輸送層９と発光層３の厚みとの合計が４０〜４００ｎｍの範囲で４０ｎｍ刻みで変化するようにしたものに加えて、この厚みが６０ｎｍ、７０ｎｍ、９０ｎｍ、１００ｎｍとなるようにしたものをそれぞれ作製した。
【００４８】
【化１】
2009054384.tif 000004
【００４９】
このような各有機エレクトロルミネッセンス素子を、基板６の表面に脂肪族炭化水素系溶剤からなるマッチングオイルを介して半球レンズ１２ａを設けた状態で発光させ、半球レンズ１２ａから出射される光の光束を計測した。その結果を図４に示す。ここで、図４の横軸は、電子輸送層９と発光層３の厚みとの合計の値を示している。
【００５０】
また、半球レンズ１２ａを設けず、基板６の表面を大気１１に曝した状態で、同様にして基板６から出射される光の光束を計測した。この結果も併せて図４に示す。
【００５１】
また、半球レンズ１２ａを設けた場合の光束の計測結果と、半球レンズ１２ａを設けない場合の光束の計測結果との差を算出した結果を併せて図４に示す。
【００５２】
尚、ここでは光束を測定する場合について説明しているが、光の成分の量としてエネルギー（放射束）や光子数を計測する場合にも、同様にして有機発光層５の厚みの設計を行うことができる。ここで、光の成分の量を計測するにあたっては、エネルギー（放射束）を直接的に計測し、このエネルギーをｃｈν（ｃ：光速、ｈ：プランク定数、ν：波長の逆数）で除した結果を光子数として導出することができ、またこのエネルギーからＣＩＥ標準比視感度と最大視感度とに基づいて光束を導出することができる。
【００５３】
これらの結果に基づき、まず光取出し手段１２から出射する光の成分の量と、有機発光層５の厚みとの関係から有機エレクトロルミネッセンス素子の設計をする場合について説明する。
【００５４】
図示のように、半球レンズ１２ａを設ける場合と設けない場合とでの各光束は、共に電子輸送層９と発光層３の厚みとの合計が増大するに従って変化してそれぞれ複数の極大値をとるが、その変化の傾向は相違しており、極大値の位置にずれが生じている。
【００５５】
すなわち、半球レンズ１２ａを設けない場合では、電子輸送層９と発光層３の厚みとの合計が７０ｎｍで第一の極大値が現れ、厚み２４０ｎｍで第二の極大値が現れるが、半球レンズ１２ａを設けた場合では厚み８０ｎｍで第一の極大値が、厚み２８０ｎｍで第二の極大値が現れる。このため、半球レンズ１２ａを設けた場合のこの半球レンズ１２ａから出射する光束と、有機発光層５の厚みとの関係に基づけば、この光束が極大値をとるように有機発光層５の厚みを設計することで、半球レンズ１２ａを設けない場合に基板６から出射される光束に基づく場合よりも、光の反射・屈折角を乱れさせる領域７が設けられた有機ＥＬ素子から出射される光束を増大させることができる。例えば、半球レンズ１２ａを設けない場合に基板６から出射される光束を基準にしてその第二の極大値をとるように有機発光層５の厚み設計をした場合と比較して、半球レンズ１２ａを設けた場合にこの半球レンズ１２ａから出射される光束が第二の極大値をとるように有機発光層５の厚み設計を行うと、理想的には有機エレクトロルミネッセンスから出射される光束を１．３０倍に増加させることができる。
【００５６】
また、半球レンズ１２ａから出射される光束の極大値の近傍においても、この光束は充分に大きな値を有しており、この極大値を中心とした範囲、例えば第一の極大値について電子輸送層９と発光層３の厚みとの合計が７０〜９０ｎｍ範囲で有機発光層５の厚みを設計すれば、有機エレクトロルミネッセンスから出射される光束を充分に大きくすることができる。
【００５７】
また、半球レンズ１２ａを設けない場合に出射される光束は、第二の極大値を超えると大きく落ち込んでいるが、半球レンズ１２ａを設ける場合では第二の極大値を超えても変化がなだらかで値の落ち込みが小さくなっており、大きな光束が得られている。このように半球レンズ１２ａを設けない場合には充分な光束が得られない場合であっても、半球レンズ１２ａを設ける場合には充分に大きな光束が得られる領域を見出すことができ、これにより有機エレクトロルミネッセンスから出射される光束を充分に大きくすることができる。
【００５８】
このようにして、有機ＥＬ素子の基板６に反射・屈折角を乱れさせる領域７を設けた場合の出射光の光束が所望の程度になるように有機発光層５の厚み設計を行うことができ、またこのとき有機発光層５の広い厚み範囲に亘って有機発光層５の厚みを設計することができるものである。
【００５９】
次に、光取出し手段１２を設ける場合と設けない場合との出射する光の成分の量の差と、有機発光層５の厚みとの関係に基づいて、有機エレクトロルミネッセンス素子の設計をする場合について説明する。
【００６０】
図示のように、半球レンズ１２ａを設ける場合と設けない場合との出射する光束の差と、半球レンズ１２ａを設けない場合の出射する光束とは、共に電子輸送層９と発光層３の厚みとの合計が増大するに従って変化してそれぞれ複数の極大値をとるが、その変化の傾向は相違しており、極大値の位置にずれが生じている。
【００６１】
すなわち、半球レンズ１２ａを設けない場合では、電子輸送層９と発光層３の厚みとの合計が７０ｎｍで第一の極大値が現れ、２４０ｎｍで第二の極大値が現れるが、半球レンズ１２ａを設ける場合と設けない場合との出射する光束の差については厚みが８０ｎｍで第一の極大値が、２９０ｎｍで第二の極大値が現れる。このため、半球レンズ１２ａを設ける場合と設けない場合との出射する光束の差に基づけば、この値が極大値をとるように有機発光層５の厚みを設計することで、半球レンズ１２ａを設けない場合に出射する光束に基づく場合よりも、光の反射・屈折角を乱れさせる領域７が設けられた有機ＥＬ素子から出射される光束を増大させることができる。例えば、半球レンズ１２ａを設ける場合と設けない場合との出射する光束の差が第二の極大値をとるように有機発光層５の厚み設計を行った場合には、半球レンズ１２ａを設けない場合に出射する光束が第二の極大値をとるように有機発光層５の厚み設計をした場合と比べて、半球レンズ１２ａを設けた場合に出射する光束が１．１６倍に増加している。また、半球レンズ１２ａを設ける場合と設けない場合との出射する光束の差が前記第二の極大値をとる場合には、半球レンズ１２ａを設けない場合の光束は大きく落ち込んでいるため、この半球レンズ１２ａを設けない場合の光束に基づいて有機発光層５の厚みを設計する場合にはこのような半球レンズ１２ａを設ける場合と設けない場合との出射する光束の差が極大値をとるような有機発光層４の厚みを設計することはできず、光の反射・屈折角を乱れさせる領域７が設けられた有機ＥＬ素子から出射される光束を充分に増大させることができないことがわかる。
【図面の簡単な説明】
【００６２】
【図１】有機エレクトロルミネッセンス素子の基板に半球レンズを設けた場合の構成の一例を示す概略の断面図である。
【図２】有機エレクトロルミネッセンス素子の構成の一例を示す概略の断面図である。
【図３】基板に光の反射・屈折角を乱れさせる領域を設けた場合の有機エレクトロルミネッセンス素子の構成の一例を示す概略の断面図である。
【図４】有機発光層の厚みを異ならせた場合の、有機エレクトロルミネッセンス素子から出射される光束の計測結果を示すものであり、基板に半球レンズを設けた場合に出射される光束、半球レンズを設けない場合に出射される光束、及び両者の差を示すものである。
【符号の説明】
【００６３】
１    光透過性の電極
２    光反射性の電極
５    有機発光層
６    基板
１２  光取出し手段
【図１】
2009054384.tif 000005
【図２】
2009054384.tif 000006
【図３】
2009054384.tif 000007
【図４】
2009054384.tif 000008